(57)【要約】【課題】超高鮮明ディスク記録装置と再生装置、およびその制御方法を提供する。【解決手段】本発明に係る超高鮮明ディスク記録装置と再生装置、およびその制御方法は、オーディオデータ、ビデオデータ、および字幕データのそれぞれを複数に分離し、複数のオーディオデータの標本化率を変更したり、複数のビデオデータのフレーム率、カラー空間、色度形態を変更したりしてデータを記録媒体に格納する光記入器を制御し、複数のオーディオデータ、ビデオデータ、および字幕データのタイトル情報と分離情報、または複数のオーディオデータ、ビデオデータ、および字幕データを記録媒体に格納する。【選択図】図１
2010148091.tif 000002
【特許請求の範囲】
【請求項１】
オーディオデータ、ビデオデータ、および字幕データのそれぞれを複数に分離するステップと、
前記複数のオーディオデータの標本化率を変更したり、前記複数のビデオデータのフレーム率、カラー空間、および色度形態のうちの少なくともいずれか１つを変更したりするステップと、
データを記録媒体に格納する光記入器を制御し、前記複数のオーディオデータ、ビデオデータ、字幕データのタイトル情報と分離情報、または前記複数のオーディオデータ、ビデオデータ、および字幕データを記録媒体に格納するステップと
を含むことを特徴とする超高鮮明ディスク記録装置の制御方法。
【請求項２】
前記オーディオデータ、ビデオデータ、および字幕データのそれぞれを複数に分離するステップは、
前記ビデオデータを複数のサブフレームに分離するステップと、
前記オーディオデータを複数のチャンネルに分離するステップと、
前記字幕データを字幕の国家言語別に分離するステップと
を含むことを特徴とする請求項１に記載の超高鮮明ディスク記録装置の制御方法。
【請求項３】
前記オーディオデータ、ビデオデータ、および字幕データのそれぞれを複数に分離するステップは、
前記ビデオデータをＧＯＰ単位とし、複数のサブフレームに分離するステップであることを特徴とする請求項１に記載の超高鮮明ディスク記録装置の制御方法。
【請求項４】
前記複数のビデオデータのフレーム率、カラー空間、および色度形態のうちの少なくともいずれか１つを変更するステップは、
前記複数のビデオデータの１秒あたりのフレーム数を変更するステップと、
前記複数のビデオデータをＲＧＢ形態からＹＵＶ形態に変換するステップと、
前記複数のビデオデータの色度形態を変換するステップと
を含むことを特徴とする請求項１に記載の超高鮮明ディスク記録装置の制御方法。
【請求項５】
前記複数のオーディオデータまたはビデオデータを圧縮するステップをさらに含むことを特徴とする請求項１に記載の超高鮮明ディスク記録装置の制御方法。
【請求項６】
前記複数のオーディオデータ、ビデオデータ、および字幕データを記録媒体に記録するための記録ストリーム形態のデータに変換し、前記複数のオーディオデータ、ビデオデータ、および字幕データ間の同期化のためのタイムスタンプを生成するステップをさらに含むことを特徴とする請求項１に記載の超高鮮明ディスク記録装置の制御方法。
【請求項７】
前記複数のオーディオデータ、ビデオデータ、字幕データを記録媒体に格納するステップは、
前記複数のオーディオデータ、ビデオデータ、および字幕データのタイトル情報を生成するステップと
前記タイトル情報を記録媒体に格納するステップと
を含むことを特徴とする請求項１に記載の超高鮮明ディスク記録装置の制御方法。
【請求項８】
前記複数のオーディオデータ、ビデオデータ、字幕データを記録媒体に格納するステップは、
前記複数のオーディオデータ、ビデオデータ、字幕データ間の同期化のためのタイムスタンプを用い、前記複数のオーディオデータ、ビデオデータ、および字幕データを記録媒体に格納するステップであることを特徴とする請求項１に記載の超高鮮明ディスク記録装置の制御方法。
【請求項９】
前記複数のオーディオデータ、ビデオデータ、および字幕データを記録媒体に格納するステップは、
前記オーディオデータの複数のチャンネルへの分離に関する情報、前記ビデオデータの複数のサブフレームへの分離に関する情報、および前記字幕データの国家言語別の字幕への分離に関する情報を前記記録媒体に格納するステップであることを特徴とする請求項１に記載の超高鮮明ディスク記録装置の制御方法。
【請求項１０】
記録媒体に格納されたデータを読み取る光読取器を制御し、記録媒体に格納された複数のオーディオデータ、ビデオデータ、および字幕データ、または前記複数のオーディオデータ、ビデオデータ、および字幕データのタイトル情報と分離情報を読み取るステップと、
前記複数のオーディオデータの標本化率を変更したり、前記複数のビデオデータのフレーム率、カラー空間、色度形態のうちの少なくともいずれか１つを変更したりするステップと、
前記複数のオーディオデータおよびビデオデータを出力するステップと
を含むことを特徴とする超高鮮明ディスク再生装置の制御方法。
【請求項１１】
前記記録媒体に記録するための記録ストリーム形態の複数のオーディオデータ、ビデオデータ、および字幕データを出力するためのデータの形態に変換し、前記複数のオーディオデータ、ビデオデータ、および字幕データ間の同期化のためのタイムスタンプを読み取るステップをさらに含むことを特徴とする請求項１０に記載の超高鮮明ディスク再生装置の制御方法。
【請求項１２】
前記複数のオーディオデータまたはビデオデータが圧縮されている場合、前記複数のオーディオデータまたはビデオデータの圧縮を解除するステップをさらに含むことを特徴とする請求項１０に記載の超高鮮明ディスク再生装置の制御方法。
【請求項１３】
オーディオデータ、ビデオデータ、および字幕データのそれぞれを複数に分離するデータ分離器と、
前記複数のオーディオデータの標本化率を変更したり、前記複数のビデオデータのフレーム率、カラー空間、色度形態のうちの少なくともいずれか１つを変更したりするデータフォーマット変換器と、
データを記録媒体に格納する光記入器を制御し、前記複数のオーディオデータ、ビデオデータ、および字幕データのタイトル情報と分離情報、または前記複数のオーディオデータ、ビデオデータ、および字幕データを記録媒体に格納する超高鮮明コンテンツ制御器と
を備えることを特徴とする超高鮮明ディスク記録装置。
【請求項１４】
前記複数のオーディオデータまたはビデオデータを圧縮する符号化器をさらに備えることを特徴とする請求項１３に記載の超高鮮明ディスク記録装置。
【請求項１５】
前記複数のオーディオデータ、ビデオデータ、および字幕データを記録媒体に記録するための記録ストリーム形態のデータに変換し、前記複数のオーディオデータ、ビデオデータ、字幕データ間の同期化のためのタイムスタンプを生成するデータフレーマをさらに備えることを特徴とする請求項１３に記載の超高鮮明ディスク記録装置。
【請求項１６】
前記データフォーマット変換器は、前記分離した複数のオーディオデータ、ビデオデータ、および字幕データの個数と同じ個数で構成されることを特徴とする請求項１３に記載の超高鮮明ディスク記録装置。
【請求項１７】
記録媒体に格納されたデータを読み取る光読取器を制御し、記録媒体に格納された複数のオーディオデータ、ビデオデータ、および字幕データと、前記複数のオーディオデータ、ビデオデータ、および字幕データのタイトル情報と分離情報を読み取る超高鮮明コンテンツ制御器と、
前記複数のオーディオデータの標本化率を変更したり、前記複数のビデオデータのフレーム率、カラー空間、色度形態のうちの少なくともいずれか１つを変更したりするデータフォーマット逆変換器と、
前記複数のオーディオデータおよびビデオデータを出力する出力インターフェースと
を備えることを特徴とする超高鮮明ディスク再生装置。
【請求項１８】
前記記録媒体に記録するための記録ストリーム形態の複数のオーディオデータ、ビデオデータ、および字幕データを出力するためのデータの形態に変換し、前記複数のオーディオデータ、ビデオデータ、および字幕データ間の同期化のためのタイムスタンプを読み取るデータデフレーマをさらに備えることを特徴とする請求項１７に記載の超高鮮明ディスク再生装置。
【請求項１９】
前記複数のオーディオデータまたはビデオデータが圧縮されている場合、前記複数のオーディオデータまたはビデオデータの圧縮を解除する復号化器をさらに備えることを特徴とする請求項１７に記載の超高鮮明ディスク再生装置。
【請求項２０】
前記データフォーマット逆変換器は、前記複数のオーディオデータ、ビデオデータ、および字幕データの個数と同じ個数で構成されることを特徴とする請求項１７に記載の超高鮮明ディスク再生装置。
【発明の詳細な説明】
【技術分野】
【０００１】
本発明は、超高鮮明ディスク記録装置と再生装置、およびその制御方法に関する。本発明は、知識経済部および情報通信研究振興院のＩＴ源泉技術開発事業の一環として実行した研究から導き出されたものである［課題管理番号：２００８−Ｆ−０１１−０１、課題名：次世代ＤＴＶ核心技術開発（標準化連携）−無眼鏡個人型３Ｄ放送技術開発］。
【背景技術】
【０００２】
オーディオ／ビデオ（Ａ／Ｖ）サービスは、ラジオおよび黒白テレビを初めとし、カラーテレビを経て５．１チャンネルのＨＤＴＶ（High Definition Television）へと発展してきた。
【０００３】
これにより、オーディオ／ビデオデータを記録して再生するためのＤＶＤ（Digital Video Disc）プレーヤも、現在ではブルーレイディスク（Blu-ray Disc）を用いたフル（Full）ＨＤ級（１０８０ｐ、５．１チャンネル）のオーディオ／ビデオの再生が可能な段階にまで至っている。
【０００４】
一般的に、既存のブルーレイディスクを用いたＤＶＤプレーヤは、ＭＰＥＧ４ＡＶＣ／Ｈ．２６４コーデックを用いても、ディスク容量の限界とデジタル信号処理速度の限界により、映画１本程度のデータを記録してリアルタイムで再生することができた。
【０００５】
しかしながら、従来のＤＶＤディスクは、容量の限界とデジタル信号処理速度の限界により、４Ｋ級以上のビデオと多チャンネルオーディオをＤＶＤに格納および再生することができなかった。
【発明の概要】
【発明が解決しようとする課題】
【０００６】
本発明は、上述したような従来技術を改善するために案出されたものであって、ディスク記録および再生装置において多チャンネルオーディオデータ、超大容量ビデオデータ、および字幕データをリアルタイム処理が可能なように分離して並列処理し、各データ間の同期化および分離したデータ間の同期化機能を適用して、４Ｋ級以上のビデオと多チャンネルオーディオの格納および再生が可能なディスクプレーヤおよびデジタルシネマ装置を提供することを目的とする。
【０００７】
また、本発明は、４Ｋ級以上のコンテンツをディスク上に分離して記録して、小さい空間に大量のコンテンツを保管することができる格納装置を提供することを他の目的とする。
【課題を解決するための手段】
【０００８】
本発明の一側面に係る超高鮮明ディスク記録装置の制御方法は、オーディオデータ、ビデオデータ、および字幕データのそれぞれを複数に分離するステップと、前記複数のオーディオデータの標本化率（Sampling Rate）を変更したり、前記複数のビデオデータのフレーム率、カラー空間、色度形態のうちの少なくともいずれか１つを変更したりするステップと、データを記録媒体に格納する光記入器（Optical Writer）を制御し、前記複数のオーディオデータ、ビデオデータ、および字幕データのタイトル情報と分離情報、または前記複数のオーディオデータ、ビデオデータ、および字幕データを記録媒体に格納するステップとを含む。
【０００９】
このとき、前記オーディオデータ、ビデオデータ、および字幕データのそれぞれを複数に分離するステップは、前記ビデオデータを複数のサブフレーム（sub frame）に分離するステップと、前記オーディオデータを複数のチャンネルに分離するステップと、前記字幕データを字幕の国家言語別に分離するステップとを含むことができる。
【００１０】
このとき、前記オーディオデータ、ビデオデータ、および字幕データのそれぞれを複数に分離するステップは、前記ビデオデータをＧＯＰ（Group of Picture）単位とし、複数のサブフレームに分離するステップとすることができる。
【００１１】
このとき、前記複数のビデオデータのフレーム率、カラー空間、および色度形態のうちの少なくともいずれか１つを変更するステップは、前記複数のビデオデータの１秒あたりのフレーム数を変更するステップと、前記複数のビデオデータをＲＧＢ形態からＹＵＶ形態に変換するステップと、前記複数のビデオデータの色度形態を変換するステップとを含むことができる。
【００１２】
このとき、前記複数のオーディオデータまたはビデオデータを圧縮するステップをさらに含むことができる。
【００１３】
このとき、前記複数のオーディオデータ、ビデオデータ、および字幕データを記録媒体に記録するための記録ストリーム形態のデータに変換し、前記複数のオーディオデータ、ビデオデータ、字幕データ間の同期化のためのタイムスタンプを生成するステップをさらに含むことができる。
【００１４】
このとき、前記複数のオーディオデータ、ビデオデータ、字幕データを記録媒体に格納するステップは、前記複数のオーディオデータ、ビデオデータ、および字幕データのタイトル情報を生成するステップと、前記タイトル情報を記録媒体に格納するステップとを含むことができる。
【００１５】
このとき、前記複数のオーディオデータ、ビデオデータ、字幕データを記録媒体に格納するステップは、前記複数のオーディオデータ、ビデオデータ、字幕データ間の同期化のためのタイムスタンプを用い、前記複数のオーディオデータ、ビデオデータ、および字幕データを記録媒体に格納するステップとすることができる。
【００１６】
このとき、前記複数のオーディオデータ、ビデオデータ、および字幕データを記録媒体に格納するステップは、前記オーディオデータの複数のチャンネルへの分離に関する情報、前記ビデオデータの複数のサブフレームへの分離に関する情報、および前記字幕データの国家言語別の字幕への分離に関する情報を前記記録媒体に格納するステップとすることができる。
【００１７】
本発明の一側面に係る超高鮮明ディスク再生装置の制御方法は、記録媒体に格納されたデータを読み取る光読取器を制御し、記録媒体に格納された複数のオーディオデータ、ビデオデータ、および字幕データと、前記複数のオーディオデータ、ビデオデータ、および字幕データのタイトル情報と分離情報を読み取るステップと、前記複数のオーディオデータの標本化率を変更したり、前記複数のビデオデータのフレーム率、カラー空間、色度形態のうちの少なくともいずれか１つを変更したりするステップと、前記複数のオーディオデータおよびビデオデータを出力するステップとを含む。
【００１８】
このとき、前記記録媒体に記録するための記録ストリーム形態の複数のオーディオデータ、ビデオデータ、および字幕データを出力するためのデータの形態に変換し、前記複数のオーディオデータ、ビデオデータ、および字幕データ間の同期化のためのタイムスタンプを読み取るステップをさらに含むことができる。
【００１９】
このとき、前記複数のオーディオデータまたはビデオデータが圧縮されている場合、前記複数のオーディオデータまたはビデオデータの圧縮を解除するステップをさらに含むことができる。
【００２０】
本発明の一側面に係る超高鮮明ディスク記録装置は、オーディオデータ、ビデオデータ、および字幕データのそれぞれを複数に分離するデータ分離器と、前記複数のオーディオデータの標本化率を変更したり、前記複数のビデオデータのフレーム率、カラー空間、色度形態のうちの少なくともいずれか１つを変更したりするデータフォーマット変換器と、データを記録媒体に格納する光記入器を制御し、前記複数のオーディオデータ、ビデオデータ、および字幕データのタイトル情報と分離情報、または前記複数のオーディオデータ、ビデオデータ、および字幕データを記録媒体に格納する超高鮮明コンテンツ制御器とを備える。
【００２１】
このとき、前記複数のオーディオデータまたはビデオデータを圧縮する符号化器をさらに備える。
【００２２】
このとき、前記複数のオーディオデータ、ビデオデータ、および字幕データを記録媒体に記録するための記録ストリーム形態のデータに変換し、前記複数のオーディオデータ、ビデオデータ、字幕データ間の同期化のためのタイムスタンプを生成するデータフレーマをさらに備えることができる。
【００２３】
このとき、前記データフォーマット変換器は、前記分離した複数のオーディオデータ、ビデオデータ、および字幕データの個数と同じ個数で構成することができる。
【００２４】
本発明の一側面に係る超高鮮明ディスク再生装置は、記録媒体に格納されたデータを読み取る光読取器を制御し、記録媒体に格納された複数のオーディオデータ、ビデオデータ、および字幕データと、前記複数のオーディオデータ、ビデオデータ、および字幕データのタイトル情報と分離情報を読み取る超高鮮明コンテンツ制御器と、前記複数のオーディオデータの標本化率を変更したり、前記複数のビデオデータのフレーム率、カラー空間、色度形態のうちの少なくともいずれか１つを変更したりするデータフォーマット逆変換器と、前記複数のオーディオデータおよびビデオデータを出力する出力インターフェースとを備える。
【００２５】
このとき、前記記録媒体に記録するための記録ストリーム形態の複数のオーディオデータ、ビデオデータ、および字幕データを出力するためのデータの形態に変換し、前記複数のオーディオデータ、ビデオデータ、および字幕データ間の同期化のためのタイムスタンプを読み取るデータデフレーマをさらに備えることができる。
【００２６】
このとき、前記複数のオーディオデータまたはビデオデータが圧縮されている場合、前記複数のオーディオデータまたはビデオデータの圧縮を解除する復号化器をさらに備えることができる。
【００２７】
このとき、前記データフォーマット逆変換器は、前記複数のオーディオデータ、ビデオデータ、および字幕データの個数と同じ個数で構成することができる。
【発明の効果】
【００２８】
本発明によれば、ディスク記録および再生装置において多チャンネルオーディオデータ、超大容量ビデオデータ、および字幕データをリアルタイム処理が可能なように分離して並列処理し、各データ間の同期化および分離したデータ間の同期化機能を適用して、４Ｋ級以上のビデオと多チャンネルオーディオをディスクプレーヤおよびデジタルシネマ格納および再生装置で使用できるようにする。
【００２９】
また、本発明によれば、４Ｋ級以上のコンテンツをディスク上に分離して記録して、小さい空間に大量のコンテンツを保管することができる。
【図面の簡単な説明】
【００３０】
【図１】本発明の一実施形態に係る超高鮮明ディスク記録装置および超高鮮明ディスク再生装置を示す図である。
【図２】本発明の一実施形態に係る超高鮮明ディスク記録装置の制御方法を説明するためのフローチャートである。
【図３】本発明の一実施形態に係る超高鮮明ディスク再生装置の制御方法を説明するためのフローチャートである。
【発明を実施するための形態】
【００３１】
以下、添付の図面および添付の図面に記載された内容を参照しながら、本発明の好ましい実施形態について詳細に説明するが、本発明が実施形態によって制限または限定されることはない。図中、同じ参照符号は同じ部材を示す。
【００３２】
図１は、本発明の一実施形態に係る超高鮮明ディスク記録装置および超高鮮明ディスク再生装置を示す図である。図１を参照しながら、本発明の一実施形態に係る超高鮮明ディスク記録装置および超高鮮明ディスク再生装置について説明する。
【００３３】
本発明の一実施形態に係る超高鮮明ディスク記録装置１１０は、データ分離器（Data Splitter）１１１と、データフォーマット変換器（Data Format Converter）１１２と、符号化器（Encoder）１１３と、データフレーマ（Data Framer）１１４と、光記入器１１５と、超高鮮明コンテンツ制御器（UHD Contents Controller）１２０とを備える。
【００３４】
本発明の一実施形態に係る超高鮮明ディスク記録装置１１０は、格納装置１００からオーディオデータ、ビデオデータ、および字幕データが伝達される。
【００３５】
データ分離器１１１は、伝達されたオーディオデータ、ビデオデータ、および字幕データそれぞれをリアルタイム処理が可能なように複数に分離する。
【００３６】
このとき、データ分離器１１１は、ビデオデータを複数のサブフレームに分離し、オーディオデータを複数のチャンネルに分離し、字幕データを字幕の国家言語別に分離することができる。
【００３７】
また、データ分離器１１１は、ビデオデータをＧＯＰ単位とし、複数のサブフレームに分離することができる。
【００３８】
例えば、４Ｋ（ビデオ解像度３８４０×２１６０、３０ｆｐｓ）ビデオ、２２．２チャンネルのオーディオ、および４ヶ国語の字幕データを有する超高鮮明コンテンツの場合、データ分離器１１１は、ビデオデータをフルＨＤ（１９２０×１０８０ｐ）ビデオの４つのサブフレームに分離し、オーディオデータを６つのチャンネルずつで４つに分離し、字幕データを各国家別に４つに分離することができる。このとき、データ分離器１１１は、ビデオサブフレームの場合にはＧＯＰ単位で分離し、ビデオ符号化および復号化後に各サブフレーム間に同期化が可能なようにすることができる。
【００３９】
データフォーマット変換器１１２は、複数のオーディオデータの標本化率を変更したり、複数のビデオデータのフレーム率、カラー空間、色度形態を変更したりする。
【００４０】
より詳細に説明すれば、ビデオデータのフレーム率は１秒あたりのフレーム数を変更し、カラー空間の変更はビデオデータをＲＧＢ形態からＹＵＶ形態に変更し、色度形態の変更はＹＵＶにおける４：４：４、４：２：２、４：２：０間の相互変換を意味する。
【００４１】
このとき、データフォーマット変換器１１２は、分離した複数のオーディオデータ、ビデオデータ、および字幕データの個数と同じ個数で構成することができる。
【００４２】
また、データフォーマット変換器１１２は、複数のビデオデータの１秒あたりのフレーム数を変更したり、ＲＧＢ形態からＹＵＶ形態に変換したり、色度形態を変換したりすることができる。
【００４３】
符号化器１１３は、複数のオーディオデータまたはビデオデータを圧縮することができる。
【００４４】
データフレーマ１１４は、複数のオーディオデータ、ビデオデータ、および字幕データを記録媒体に記録するための記録ストリーム形態のデータに変換することができる。
【００４５】
このとき、データフレーマ１１４は、分離した複数のオーディオデータ、ビデオデータ、および字幕データの同期化のためのタイムスタンプを生成する。
【００４６】
光記入器１１５は、超高鮮明コンテンツ制御器１２０の制御により、記録媒体１４０に複数のオーディオデータ、ビデオデータ、および字幕データを格納することができる。
【００４７】
超高鮮明コンテンツ制御器１２０は、データを記録媒体１４０に格納する光記入器１５０を制御する。超高鮮明コンテンツ制御器１２０は、複数のオーディオデータ、ビデオデータ、および字幕データのタイトル情報と分離情報、または複数のオーディオデータ、ビデオデータ、および字幕データを記録媒体１４０に格納する。
【００４８】
より詳細に説明すれば、超高鮮明コンテンツ制御器１２０は、複数のオーディオデータ、ビデオデータ、および字幕データのタイトル情報を生成し、タイトル情報を記録媒体１４０に格納することができる。
【００４９】
このとき、タイトル情報は、オーディオ圧縮フォーマット、ビデオ圧縮フォーマット、および字幕言語種類などに関する情報を意味する。また、分離情報は、ディスク別に記録される該当するオーディオチャンネルＩＤ、該当するビデオサブフレームＩＤ、該当する字幕言語ＩＤなどであり、例えば１番ディスクの分離情報である場合には、オーディオチャンネルＩＤは１／２／３／４、ビデオサブフレームＩＤは１（４分の１）、字幕言語ＩＤは１（Ｋｒ）などのような情報を含むことができる。
【００５０】
また、これとは異なり、超高鮮明コンテンツ制御器１２０は、複数のオーディオデータ、ビデオデータ、字幕データの間の同期化のためのタイムスタンプを用い、複数のオーディオデータ、ビデオデータ、および字幕データを記録媒体１４０に格納することができる。
【００５１】
また、超高鮮明コンテンツ制御器１２０は、オーディオデータの複数のチャンネルへの分離に関する情報、ビデオデータの複数のサブフレームへの分離に関する情報、字幕データの国家言語別の字幕への分離に関する情報を記録媒体１４０に格納することができる。
【００５２】
例えば、データ分離器１１１が４Ｋ（ビデオ解像度３８４０×２１６０、３０ｆｐｓ）ビデオ、２２．２チャンネルのオーディオ、および４ヶ国語の字幕データを有する超高鮮明コンテンツを、ビデオデータをフルＨＤ（１９２０×１０８０ｐ）ビデオの４つのサブフレームに分離し、オーディオデータを６つのチャンネルずつで４つに分離し、字幕データを各国家別に４つに分離した場合には、オーディオデータ、ビデオデータ、および字幕に関する情報であるタイトル情報を生成してメイン（Main）光ディスクに挿入し、オーディオ、ビデオ、および字幕データ間の同期のためにタイムスタンプ（Time stamp）を用いることができる。また、１つのメイン光ディスクと残り３つのサブ光ディスクに４Ｋ級ビデオの１／４サブフレーム（フルＨＤビデオの１フレーム）、オーディオの６つのチャンネル、および１ヶ国語の字幕データをそれぞれ割り当てて挿入して制御することができる。このとき、それぞれの光ディスクには、分離したビデオ部フレーム情報、分離したオーディオチャンネル情報、および国家言語別の字幕情報と同じ該当するタイトル情報も挿入することができる。
【００５３】
このとき、本発明の一実施形態に係る記録媒体として、ＤＶＤ、ブルーレイＤＶＤ、ＨＤ−ＤＶＤなどを用いることができる。
【００５４】
一方、本発明の一実施形態に係るデータフォーマット変換器１１２、符号化器１１３、データフレーマ１１４、および光記入器１１５のうちの少なくともいずれか１つは、オーディオデータ、ビデオデータ、および字幕データをそれぞれ分離した個数に適合する個数で構成することができる。
【００５５】
本発明の一実施形態に係る超高鮮明ディスク再生装置１３０は、光読取器（Optical Reader）１３１と、データデフレーマ（Data De-framer）１３２と、復号化器（Decoder）１３３と、データフォーマット逆変換器（Data Format Deconverter）１３４と、出力インターフェース（Output Interface）１３５と、超高鮮明コンテンツ制御器１２０とを備える。
【００５６】
超高鮮明コンテンツ制御器１２０は、記録媒体１４０に格納されたデータを読み取る光読取器１３１を制御する。すなわち、超高鮮明コンテンツ制御器１２０は、光読取器１３１が記録媒体に格納された複数のオーディオデータ、ビデオデータ、および字幕データと、複数のオーディオデータ、ビデオデータ、および字幕データのタイトル情報と分離情報を読み取るように制御する。
【００５７】
データデフレーマ１３２は、記録媒体に記録するための記録ストリーム形態の複数のオーディオデータ、ビデオデータ、および字幕データを出力するためのデータの形態に変換し、複数のオーディオデータ、ビデオデータ、および字幕データ間の同期化のためのタイムスタンプを読み取ることができる。
【００５８】
復号化器１３３は、複数のオーディオデータまたはビデオデータが圧縮されている場合、複数のオーディオデータまたはビデオデータの圧縮を解除することができる。
【００５９】
データフォーマット逆変換器１３４は、複数のオーディオデータの標本化率を変更したり、複数のビデオデータのフレーム率、カラー空間、色度形態を変更したりする。
【００６０】
このとき、データフォーマット逆変換器１３４は、複数のオーディオデータ、ビデオデータ、および字幕データの個数と同じ個数で構成することができる。
【００６１】
出力インターフェース１３５は、複数のオーディオデータおよびビデオデータを出力する。
【００６２】
一方、本発明の一実施形態に係る光読取器１３１、データデフレーマ１３２、復号化器１３３、データフォーマット逆変換器１３４、および出力インターフェース１３５のうちの少なくともいずれか１つは、オーディオデータ、ビデオデータ、および字幕データをそれぞれ分離した個数に適合する個数で構成することができる。
【００６３】
図２は、本発明の一実施形態に係る超高鮮明ディスク記録装置の制御方法を説明するためのフローチャートである。図２を参照しながら、本発明の一実施形態に係る超高鮮明ディスク記録装置の制御方法について説明する。
【００６４】
データ分離器は、伝達されたオーディオデータ、ビデオデータ、および字幕データのそれぞれをリアルタイム処理が可能なように複数に分離する（Ｓ２１０）。
【００６５】
このとき、データ分離器は、ビデオデータを複数のサブフレームに分離し、オーディオデータを複数のチャンネルに分離し、字幕データを字幕の国家言語別に分離することができる。
【００６６】
また、データ分離器は、ビデオデータをＧＯＰ単位とし、複数のサブフレームに分離することができる。
【００６７】
この後、データフォーマット変換器は、複数のオーディオデータの標本化率を変更したり、複数のビデオデータのフレーム率、カラー空間、色度形態を変更したりする（Ｓ２２０）。
【００６８】
このとき、データフォーマット変換器は、分離した複数のオーディオデータ、ビデオデータ、および字幕データの個数と同じ個数で構成することができる。
【００６９】
また、データフォーマット変換器は、複数のビデオデータの１秒あたりのフレーム数を変更したり、ＲＧＢ形態からＹＵＶ形態に変換したり、色度形態を変換したりすることができる。
【００７０】
この後、符号化器は、複数のオーディオデータまたはビデオデータを圧縮することができる（Ｓ２３０）。
【００７１】
この後、データフレーマは、複数のオーディオデータ、ビデオデータ、および字幕データを記録媒体に記録するための記録ストリーム形態のデータに変換し、複数のオーディオデータ、ビデオデータ、字幕データ間の同期化のためのタイムスタンプを生成することができる（Ｓ２４０）。
【００７２】
超高鮮明コンテンツ制御器は、データを記録媒体に格納する光記入器を制御し、複数のオーディオデータ、ビデオデータ、および字幕データのタイトル情報と分離情報、または複数のオーディオデータ、ビデオデータ、および字幕データを記録媒体に格納する（Ｓ２５０）。
【００７３】
より詳細に説明すれば、超高鮮明コンテンツ制御器は、複数のオーディオデータ、ビデオデータ、および字幕データのタイトル情報を生成し、タイトル情報を記録媒体に格納することができる。
【００７４】
また、これとは異なり、超高鮮明コンテンツ制御器は、複数のオーディオデータ、ビデオデータ、字幕データ間の同期化のためのタイムスタンプを用い、複数のオーディオデータ、ビデオデータ、および字幕データを記録媒体に格納することができる。
【００７５】
また、超高鮮明コンテンツ制御器は、オーディオデータの複数のチャンネルへの分離に関する情報、ビデオデータの複数のサブフレームへの分離に関する情報、および字幕データの国家言語別の字幕への分離に関する情報を記録媒体に格納することができる。
【００７６】
図３は、本発明の一実施形態に係る超高鮮明ディスク再生装置の制御方法を説明するためのフローチャートである。
【００７７】
超高鮮明コンテンツ制御器は、記録媒体に格納されたデータを読み取る光読取器を制御し、記録媒体に格納された複数のオーディオデータ、ビデオデータ、および字幕データと、複数のオーディオデータ、ビデオデータ、および字幕データのタイトル情報と分離情報を読み取るようにする（Ｓ３１０）。
【００７８】
この後、データデフレーマが記録媒体に記録するための記録ストリーム形態の複数のオーディオデータ、ビデオデータ、および字幕データを出力するためのデータの形態に変換し、複数のオーディオデータ、ビデオデータ、および字幕データ間の同期化のためのタイムスタンプを読み取ることができる（Ｓ３２０）。
【００７９】
この後、復号化器は、複数のオーディオデータまたはビデオデータが圧縮されている場合、複数のオーディオデータまたはビデオデータの圧縮を解除することができる（Ｓ３３０）。
【００８０】
この後、データフォーマット逆変換器は、複数のオーディオデータの標本化率を変更したり、複数のビデオデータのフレーム率、カラー空間、色度形態を変更したりする（Ｓ３４０）。
【００８１】
このとき、データフォーマット逆変換器は、複数のオーディオデータ、ビデオデータ、および字幕データの個数と同じ個数で構成することができる。
【００８２】
この後、出力インターフェースは、複数のオーディオデータおよびビデオデータを出力する（Ｓ３５０）。
【００８３】
したがって、本発明によれば、ディスク記録および再生装置において多チャンネルオーディオデータ、超大容量ビデオデータ、および字幕データをリアルタイム処理が可能なように分離して並列処理し、各データ間の同期化および分離したデータ間の同期化機能を適用して、４Ｋ級以上のビデオと多チャンネルオーディオをディスクプレーヤおよびデジタルシネマ格納および再生装置できるようにする。
【００８４】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００８５】
１００：格納装置
１１０：超高鮮明ディスク記録装置
１１１：データ分離器
１１２：データフォーマット変換器
１１３：符号化器
１１４：データフレーマ
１１５：光記入器
１２０：超高鮮明コンテンツ制御器
１３０：超高鮮明ディスク再生装置
１３１：光読取器
１３２：データデフレーマ
１３３：復号化器
１３４：データフォーマット逆変換器
１３５：出力インターフェース
【図１】
2010148091.tif 000003
【図２】
2010148091.tif 000004
【図３】
2010148091.tif 000005